(57)【特許請求の範囲】
【請求項１】
ベルトに取り付けて折り畳み式携帯電話機を着脱自在に保持する携帯電話機用ベルト挿通型保持具であって、折り畳み式携帯電話機の折り畳んだ筐体間に介在可能な薄板状の基板体の両端にベルトを挿通するように穿孔したベルト挿通部を有し、該基板体に折り畳み式携帯電話機を吊るし掛けて保持することを特徴とする携帯電話機用ベルト挿通型保持具。
【請求項２】
上記薄板状の基板体の上辺が凹んでいることを特徴とする請求項１に記載の携帯電話機用ベルト挿通型保持具。
【請求項３】
上記ベルト挿通部の穿孔は、ベルトを通す大きさの略Ｕ字形の穿孔で、舌状部を形成したものであることを特徴とする請求項１または２に記載の携帯電話機用ベルト挿通型保持具。
【請求項４】
上記ベルト挿通部の穿孔は、その穿孔の外側両端部において、連結部により連結されていることを特徴とする請求項１、２または３に記載の携帯電話機用ベルト挿通型保持具。
【発明の詳細な説明】
【技術分野】
【０００１】
本発明は、折り畳み式携帯電話機を着脱自在に保持する携帯電話機用ベルト挿通型保持具に関するものである。
【背景技術】
【０００２】
近年、携帯電話機は技術革新により通話だけでなく電子メールやインターネット、カメラ、さらには決済手段としての機能までを持つようになり、若者から熟年者まで幅広い年齢層において一人一台の現代生活の必需品になりつつある。現在、携帯電話機はこれらの情報を表示する大きな画面の必要性から、表示部筐体と操作部筐体とが回動軸を介して連結された折り畳み式のものが主流であり、始終身に付けてすぐに使用できることが必要とされているので、上着またはズボンのポケットに入れて携帯している人がほとんどである。また、衣類に取り付けて携帯電話機を保持する携帯電話機保持具として特許文献１のような携帯電話機を収納するケースをベルトに取り付けるものが以前より使用されている。特許文献２や特許文献３のように折り畳み式携帯電話機を吊るし掛けて保持する携帯電話機保持具も公開されている。
【特許文献１】特開平９−２７１４０８号公報
【特許文献２】特開２００５−６５７５３号公報
【特許文献３】実用新案登録第３０９９６７１号公報
【発明の開示】
【発明が解決しようとする課題】
【０００３】
しかしながら携帯電話機を衣類のポケットに入れた場合、携帯電話機の重さで衣服が引っ張られ、厚さでポケットが膨らみ、嵩張りを感じ不快である。また、喧騒の中では着信音を感知し辛いこともある。特許文献１のようなケース状の携帯電話機保持具はケース自体が嵩張り、収納できる携帯電話機の大きさが限定され、携帯電話機の出し入れに手間取り、着信時にすぐに取り出せないという問題がある。特許文献２や特許文献３の携帯電話機保持具は、携帯電話機の着脱はしやすいものの、衣類に取り付ける部分が剛性枠材やクリップであり、硬質で厚みを有するため、ウエストのサイズや体の動きによっては異物感や嵩張りを感じ、衣類からの突起物となり、腕や上着に引っ掛かり邪魔で、また、衣類との一体感がなく見栄えが悪く、衣服に別物を取り付けたような異物感が拭えなかった。このため特に女性においてはファッション上の理由からもほとんど使用されていないのが現状である。
【０００４】
そこで本発明は、上述の問題点を鑑み、創出されたもので、衣類にフィットして嵩張らず異物感なく装着でき、装着時に突起物がなく邪魔にならず、衣類との一体感があり見栄えがよく、女性でも抵抗なく使用でき、部品数が少なく複雑な組み立てを必要とせず、製造に要する工程及びコストを低減でき、簡単に安価に製造でき、折り畳み式携帯電話機の様々な機種に対応できて瞬時に折り畳み式携帯電話機を着脱できる携帯電話機用ベルト挿通型保持具を提供することを目的とする。
【課題を解決するための手段】
【０００５】
上記の課題を解決するために、本発明は、以下の（１）、（２）、（３）および（４）の携帯電話機用ベルト挿通型保持具を要旨とする。
（１）ベルトに取り付けて折り畳み式携帯電話機を着脱自在に保持する携帯電話機用ベルト挿通型保持具であって、折り畳み式携帯電話機の折り畳んだ筐体間に介在可能な薄板状の基板体の両端にベルトを挿通するように穿孔したベルト挿通部を有し、該基板体に折り畳み式携帯電話機を吊るし掛けて保持することを特徴とする携帯電話機用ベルト挿通型保持具。
（２）上記薄板状の基板体の上辺が凹んでいることを特徴とする（１）に記載の携帯電話機用ベルト挿通型保持具。
すなわち、ベルトに取り付けて折り畳み式携帯電話機を着脱自在に保持する携帯電話機用ベルト挿通型保持具であって、折り畳み式携帯電話機の折り畳んだ筐体間に介在可能な、上辺が凹んでいる薄板状の基板体の両端にベルトを挿通するように穿孔したベルト挿通部を有し、該基板体に折り畳み式携帯電話機を吊るし掛けて保持することを特徴とする携帯電話機用ベルト挿通型保持具。
（３）上記ベルト挿通部の穿孔は、ベルトを通す大きさの略Ｕ字形の穿孔で、舌状部を形成したものであることを特徴とする（１）または（２）に記載の携帯電話機用ベルト挿通型保持具。
すなわち、ベルトに取り付けて折り畳み式携帯電話機を着脱自在に保持する携帯電話機用ベルト挿通型保持具であって、折り畳み式携帯電話機の折り畳んだ筐体間に介在可能な薄板状の基板体の両端に、好ましくは上辺が凹んでいる薄板状の基板体の両端にベルトを挿通するように穿孔したベルト挿通部を有し、その穿孔は、ベルトを通す大きさの略Ｕ字形の穿孔で、舌状部を形成したものであり、該基板体に折り畳み式携帯電話機を吊るし掛けて保持することを特徴とする携帯電話機用ベルト挿通型保持具。
（４）上記ベルト挿通部の穿孔は、その穿孔の外側両端部において、連結部により連結されていることを特徴とする（１）、（２）または（３）に記載の携帯電話機用ベルト挿通型保持具。
すなわち、ベルトに取り付けて折り畳み式携帯電話機を着脱自在に保持する携帯電話機用ベルト挿通型保持具であって、折り畳み式携帯電話機の折り畳んだ筐体間に介在可能な薄板状の基板体の両端に、好ましくは上辺が凹んでいる薄板状の基板体の両端にベルトを挿通するように穿孔したベルト挿通部を有し、好ましくはその穿孔は、ベルトを通す大きさの略Ｕ字形の穿孔で、舌状部を形成したものであり、その穿孔は、その穿孔の外側両端部において、連結部により連結されており、該基板体に折り畳み式携帯電話機を吊るし掛けて保持することを特徴とする携帯電話機用ベルト挿通型保持具。
【発明の効果】
【０００６】
本発明の携帯電話機用ベルト挿通型保持具は、折り畳み式携帯電話機で基板体を挟んで閉じるのみで携帯電話機を極めて容易に保持でき、保持された携帯電話機は上方へ引き抜くことにより瞬時に使用できる。しかも、折り畳み式携帯電話機の様々な機種が保持可能である。薄板状であるため、装着時に異物感なく衣類にフィットして装着感に優れ、衣類からの突起物とならず、保持具に腕や上着が引っ掛かったりせず、邪魔にならず、嵩張らず、衣類との一体感があり、見栄えがよく、ファッションを崩さず女性でも抵抗なく使用できる。複雑な組み立てを必要とせず、製造に要する工程及びコストが低減でき、多様なバリエーション展開が容易である。
【発明を実施するための最良の形態】
【０００７】
以下、本発明の詳細を図面を参照しながら説明する。本発明の携帯電話機用ベルト挿通型保持具が保持対象とする折り畳み式携帯電話機は図面にあるような表示部筐体Ｋ１と操作部筐体Ｋ２とが回動軸Ｋ３を介して連結された折り畳み式の携帯電話機Ｋである。
（実施形態１）
図１は本発明の第１の実施形態に係る携帯電話機用ベルト挿通型保持具の平面図であり、図２、図３は同携帯電話機用ベルト挿通型保持具の使用状態を示す説明図である。図１、図２、図３に示すように本発明の第１の実施形態に係る携帯電話機用ベルト挿通型保持具１０はベルトに取り付けて折り畳み式携帯電話機を着脱自在に保持する携帯電話機用ベルト挿通型保持具であって、薄板状の基板体１１の両端にベルトを挿通可能なベルト挿通部１２を設けたものである。
【０００８】
基板体１１は横方向に長く、上辺が凹んである薄板で、本実施形態では上下対称形の中央部が括れた繭形とし、どちらを上にしても使用できるように形成している。基板体１１の上辺を凹むように形成すると携帯電話機Ｋを保持時に重心がより下がり安定して落ちにくく、さらに上辺を略円弧形状に凹むように形成すると携帯電話機Ｋを回動軸Ｋ３の両端で保持するため、回動軸中央付近に突起のある機種でも、垂下部１１が突起に引っ掛かることなく吊るし掛けることができる。
【０００９】
基板体１１は、折り畳み式携帯電話機の折り畳んだ筐体間を利用して吊るし止めるものであり、折り畳み式携帯電話機Ｋの折り畳まれた表示部筐体Ｋ１と操作部筐体Ｋ２の間に介在可能で、挿入および抜き取りが可能な薄さである。例えば１ｍｍ以下、好ましくは０．１〜０．５ｍｍの薄さのものが例示される。折り畳み式携帯電話機は、折り畳んだ状態で操作キーの表面と表示部との干渉を防ぐため、筐体間に上記程の隙間が設けられているのが一般的である。
【００１０】
基板体１１は可曲性を有する素材で、合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン、セルロイド等の可撓性を有する合成樹脂が好ましい。金属等の硬質素材の場合は、携帯電話機の表面を傷つけないように表面をゴム、布、軟質合成樹脂等で被覆したり、起毛処理等を施すのが好ましい。
【００１１】
ベルト挿通部１２はベルトを挿通可能な大きさの略Ｕ字形の穿孔であり、舌状部１３を形成している。ここで略Ｕ字形とは、図面にあるようにＵ字形を横にした形状で、開いている方向は外向きである。したがって、二つの舌状部は舌先が内側に向いている。ベルト挿通部１２は基板体１１にベルトを挿通可能であればよく、円形、楕円形、四角形等の穿孔、切り込み等でもよいが、本実施形態のように形成すると携帯電話保持具１０をベルトＢ１に取り付けた時に、舌状部１３がベルトＢ１と腰部に挟持され、ベルトＢ１と腰部により広い面積で挟まれることになり、携帯電話機着脱時に携帯電話保持具１０が動きにくくなり好ましい。さらに舌状部１３の表側または裏側にゴム、シリコン等の接触抵抗の大きな素材を被覆、接着して滑り止めとしてもよい。
【００１２】
ベルト挿通部１２は、携帯電話機Ｋが基板体１１に吊り掛け可能な間隔で設けられている。また、ベルト挿通部１２には携帯電話機Ｋの着脱時に荷重がかかるので破損防止のため金属、革、合成樹脂等の補強部材で補強してもよい。
【００１３】
本実施形態の基板体１１の形状は繭形であるが携帯電話機を保持できる形状であればよく、楕円形や長方形等の幾何学形の他、動物や植物、またはアート、文字、イラスト、キャラクター等の形あるいは柄としてもよい。本実施形態のように左右の端部を丸い形状とすると細いベルトに取り付けても違和感を感じることがない。
【００１４】
本実施形態の携帯電話機用ベルト挿通型保持具１０の製造方法としては、射出成型や圧縮成型の他、大判のシート状の素材に印刷し型抜きする等して製造することで、組み立て工程を必要とせず、極めて簡単に様々な形に容易に成形でき、製造に要する工程及びコストを大幅に低減できる。また、基板体１１は薄平板状であるため表面に印刷がしやすく、多様なバリエーションの展開が容易で、意匠製の高い色柄、形状の携帯電話機用ベルト挿通型保持具を非常に安価に提供できる。表面に家庭用プリンタで印刷可能となる処理を施し、使用者が好みの写真やグラフィックをプリントできるようにしてもよい。
【００１５】
本実施形態の携帯電話機用ベルト挿通型保持具１０は全体が薄平板状であるため封筒に入れ郵送でき、社名や名前、宣伝等を入れる印刷面を広く取れるため、販促品、ＰＲ用品、贈答品、記念品等の展開に最適である。
【００１６】
以下、この携帯電話機用ベルト挿通型保持具１０のベルトへの取り付け方法と携帯電話機の着脱方法を説明すると、図２、図３に示すように携帯電話機用ベルト挿通型保持具１０のベルト挿通部１２にベルトＢ１を通して携帯電話機用ベルト挿通型保持具１０をベルトＢ１に取り付ける。
【００１７】
ベルトに取り付けられた携帯電話機用ベルト挿通型保持具１０はベルトＢ１と共にウエストのカーブに沿って曲がり、どのようなウエストのサイズにもフィットし、また、体を動かした時のウエストの動きに合わせても曲がるので装着感に極めて優れ、嵩張りや違和感が無く装着できる。
【００１８】
携帯電話機用ベルト挿通型保持具１０は薄板状であるため薄く身体からの突起物とならないため、衣類とほぼ一体となり、邪魔にならず、見栄えがよく、服装に合わせて付け替えられ、ファッション性にも優れる。
【００１９】
携帯電話機Ｋを装着するには、基板体１１とベルトＢ１との間の空間に表示部筐体Ｋ１または操作部筐体Ｋ２を挿入し、折り畳み式携帯電話機Ｋの表示部筐体Ｋ１と操作部筐体Ｋ２とで基板体１１を挟むように二つ折りに畳むと、基板体１１が携帯電話機Ｋの回動軸Ｋ３に掛かり、携帯電話機Ｋは基板体１１に吊るし止められる。携帯電話機Ｋを少し開いた状態にし、操作部筐体Ｋ２で基板体１１を引っ掛けて基板体１１とベルトとの間に空間を作り、携帯電話機Ｋを閉じるようにすると片手で容易に吊るし掛けて保持できる。
【００２０】
携帯電話機Ｋを使用する時は携帯電話機Ｋを閉じたまま上方へ引き抜くと、携帯電話機Ｋを吊るし止めていた基板体１１が表示部筐体Ｋ１と操作部筐体Ｋ２の間を滑り抜け、携帯電話機Ｋは瞬時に保持具から取り外せて使用可能となる。
【００２１】
折り畳み式携帯電話機の筐体間を利用して吊るし止めるので、携帯電話機の様々な形状、厚みに関係なく保持できる。また、携帯電話機は露出した状態で身体に沿って吊るし下げられるので携帯電話機の厚さ以上の突起物はなく、嵩張らず、軽快感があり、携帯電話機の背面の表示部も見え、着信音も聞こえやすい。
【００２２】
携帯電話機を保持しない時は基板体１１を押し込むことでベルトＢ１とほぼ一体になり、邪魔にならない。
【００２３】
（実施形態２）
図４は本発明の第２の実施形態に係る携帯電話機用ベルト挿通型保持具の斜視図である。図４に示すように本発明の第２の実施形態に係る携帯電話機用ベルト挿通型保持具２０は実施形態１の携帯電話機用ベルト挿通型保持具のベルト挿通部１２の穿孔の外側の両端部を、基板体１１より短い帯状の連結部２１で連結し、基板体１１を撓んだ状態としたものである。
【００２４】
基板体１１は実施形態１と同じものであり、同一部には同一符号を付し、その説明は省略する。
【００２５】
連結部２１の素材は、基板体１１と同素材のものが考えられ、薄さもベルトと腰部に挟まれるので薄いものであるのが好ましい。本実施形態では基板体１１の両方の舌状部１３を帯状の連結部２１で連結している。
【００２６】
このように構成すると携帯電話機用ベルト挿通型保持具をベルトＢ１に取り付けた時に、基板体１１を引っ張っても連結部２１がベルトＢ１と腰部の間に挟まれているため、ベルト挿通部１２が互いに接近するようにずれることがなく、基板体１１は一定の撓んだ状態を維持することができる。
【００２７】
本実施形態では連結部２１と基板体１１は接着により連結されているが、縫合、リベット等の他の連結手段をとってもよい。ウエストのサイズや携帯電話機用ベルト挿通型保持具２０の取り付け位置に応じて基板体１１の撓み具合を調節できるように、連結部２１と基板体１１の連結位置を変えられるようなホック、ボタン、雄部と雌部の嵌合等の連結手段で連結してもよい。
【００２８】
本実施形態の携帯電話機用ベルト挿通型保持具２０のベルトへの取り付け方法と携帯電話機の着脱方法は実施形態１と同様である。
【００２９】
（実施形態３）
図５は本発明の第３の実施形態に係る携帯電話機用ベルト挿通型保持具の斜視図である。図５に示すように本発明の第３の実施形態に係る携帯電話機用ベルト挿通型保持具３０はベルトに取り付けて折り畳み式携帯電話機を着脱自在に保持する携帯電話機用ベルト挿通型保持具であって、薄帯状の基板体３１の両端にベルトを通せるベルト挿通部３２を有する。
【００３０】
ベルト挿通部３２は皮革製等の板状体にベルトを挿通できる大きさの穿孔を設けたもので、ベルト挿通部３２の穿孔の外側の両端部は帯状の連結部３３により連結されている。本実施形態では縫合により連結されているが、リベット、接着等の他の固着手段をとってもよい。ベルト挿通部３２はベルトを挿通可能であればよく、円形、楕円形、四角形等の穿孔、切り込み等でもよい。
【００３１】
基板体３１は帯状の薄平板で両端に穿孔を有し、ベルト挿通部３２には雌部と雄部が嵌合するスナップボタン３４が取り付けられており、このスナップボタン３４を基板体３１の穿孔を通して嵌合させ、基板体３１が撓んだ状態でベルト挿通部３２に取り外し可能に連結されている。
【００３２】
このように形成すると、携帯電話機用ベルト挿通型保持具３０をベルトＢ１に取り付けた時に、基板体３１を引っ張っても連結部３３がベルトＢ１と腰部の間に挟まれているため、ベルト挿通部３２が互いに接近するようにずれることがなく、基板体３１は一定の撓んだ状態を維持することができる。
【００３３】
基板体３１は、折り畳み式携帯電話機の折り畳んだ筐体間を利用して吊るし止めるものであり、折り畳み式携帯電話機Ｋの折り畳まれた表示部筐体Ｋ１と操作部筐体Ｋ２の間に介在可能で、挿入および抜き取りが可能な薄さのものである。例えば１ｍｍ以下、好ましくは０．１〜０．５ｍｍの薄さのものが例示される。折り畳み式携帯電話機は、折り畳んだ状態で操作キーの表面と表示部との干渉を防ぐため、筐体間に上記程の隙間が設けられているのが一般的である。
【００３４】
基板体３１は可曲性を有する素材で、合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン、セルロイド等の可撓性を有する合成樹脂が好ましい。金属等の硬質素材の場合は、携帯電話機の表面を傷つけないように表面をゴム、布、軟質合成樹脂等で被覆したり、起毛処理等を施すのが好ましい。
【００３５】
本実施形態の基板体３１の形状は帯状であるが携帯電話機を保持できる形状であればよく、円形や多角形等の幾何学形の他、動物や植物、またはアート、文字、イラスト、キャラクター等の形あるいは柄としてもよい。
【００３６】
本実施形態の基板体３１の製造方法としては、射出成型や圧縮成型の他、大判のシート状の素材に印刷し型抜きする等して製造することで、組み立て工程を必要とせず、極めて簡単に様々な形に容易に成形でき、製造に要する工程及びコストを大幅に低減できる。また、基板体３１は薄平板状であるため表面に印刷がしやすく、多様なバリエーションの展開が容易で、意匠製の高い色柄、形状の基板体３１を非常に安価に提供できる。表面に家庭用プリンタで印刷可能となる処理を施し、使用者が好みの写真やグラフィックをプリントできるようにしてもよい。
【００３７】
基板体３１はスナップボタン３４で取り外し可能であり、上記のさまざまなものに付け替えが可能である。また、基板体３１の長さを変えたものを付け替えることにより、基板体３１の撓みを調整できるため、ウエストのサイズ、装着場所にあわせて基板体３１と連結部３３との間の空間を調整できる。
【００３８】
本実施形態ではベルト挿通部３２と基板体３１との連結はスナップボタン３４によるものであるが、ベルト挿通部３２と基板体３１を連結できるものであればよく、他の連結手段、例えば連結環、通常ボタン、面ファスナー、鎖、紐状材、帯状材、フック、カラビナ、リベット、回動軸等で連結されたものであってもよい。
【００３９】
本実施形態はベルト挿通部３２は皮革製であるが、ベルトに取り付けられる強度を持つものであればよく、合成樹脂、布、繊維、皮革、紙、金属、ゴム、シリコン等の単一または複合した素材が考えられる。また、本実施形態ではベルト挿通部３２と連結部３３をそれぞれ別に形成し、両者を縫合しているが、素材をゴム、合成樹脂等とするとベルト挿通部３２と連結部３３を一体的に成形することもできる。
【００４０】
本実施形態の携帯電話機用ベルト挿通型保持具３０のベルトへの取り付け方法と携帯電話機の着脱方法は実施形態１と同様であり、その説明は省略する。
【００４１】
（実施形態４）
図６は本発明の第４の実施形態に係る携帯電話機用ベルト挿通型保持具の使用状態を示す説明図である。図６に示すように本発明の第４の実施形態に係る携帯電話機用ベルト挿通型保持具４０は薄帯状の基板体４１の両端にベルトを挿通可能なベルト挿通部４２が連結されたものである。
【００４２】
ベルト挿通部４２は皮革製の板状体にベルトを挿通できる大きさの穿孔を設けたものである。穿孔はベルトＢ１を挿通できる大きさ、形状であればよく、例えば円形、楕円形、切り込み等にしてもよい。
【００４３】
基板体４１は携帯電話機Ｋが基板体４１に吊り掛け可能な長さの帯状の薄平板である。
【００４４】
基板体４１は、折り畳み式携帯電話機の折り畳んだ筐体間を利用して吊るし止めるものであり、折り畳み式携帯電話機Ｋの折り畳まれた表示部筐体Ｋ１と操作部筐体Ｋ２の間に介在可能で、挿入および抜き取りが可能な薄さのものである。例えば１ｍｍ以下、好ましくは０．１〜０．５ｍｍがより好ましい薄さとして例示される。折り畳み式携帯電話機は、折り畳んだ状態で操作キーの表面と表示部との干渉を防ぐため、筐体間に上記程の隙間が設けられているのが一般的である。
【００４５】
基板体４１は可曲性を有する素材で、合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン、セルロイド等の可撓性を有する合成樹脂が好ましい。金属等の硬質素材の場合は、携帯電話機の表面を傷つけないように表面をゴム、布、軟質合成樹脂等で被覆したり、起毛処理等を施すのが好ましい。
【００４６】
本実施形態ではベルト挿通部４２は皮革製であるが、ベルトを挿通して携帯電話機を保持した時に携帯電話機を保持するための強度を有するものであればよく、合成樹脂、布、繊維、皮革、紙、金属、ゴム、シリコン等の単一または複合した素材であってもよい。
【００４７】
本実施形態の基板体４１の形状は長方形であるが携帯電話機を保持できる形状であればよく、円形や多角形等の幾何学形の他、動物や植物、またはアート、文字、イラスト、キャラクター等の形あるいは柄としてもよい。
【００４８】
本実施形態の基板体４１の製造方法としては、射出成型や圧縮成型の他、大判のシート状の素材に印刷し型抜きする等して製造することで、組み立て工程を必要とせず、極めて簡単に様々な形に容易に成形でき、製造に要する工程及びコストを大幅に低減できる。また、基板体４１は薄平板状であるため表面に印刷がしやすく、多様なバリエーションの展開が容易で、意匠性の高い色柄、形状の基板体４１を非常に安価に提供できる。表面に家庭用プリンタで印刷可能となる処理を施し、使用者が好みの写真やグラフィックをプリントできるようにしてもよい。
【００４９】
本実施形態ではベルト挿通部４２と基板体４１とは縫合され連結されているが、スナップボタン等の取り外し可能な連結手段で連結し、基板体４１が付け替えられるように構成してもよい。
【００５０】
本実施形態の携帯電話機用ベルト挿通型保持具４０のベルトへの取り付け方法と携帯電話機の着脱方法は実施形態１と同様であり、その説明は省略する。
【産業上の利用可能性】
【００５１】
本発明の携帯電話機用ベルト挿通型保持具は薄板状であるため、衣類にフィットして装着感に優れ、衣類との一体感があり、見栄えがよく、多様なバリエーション展開が容易であり、携帯電話機保持具としてはもちろん、新しいファッションとして認知される可能性がある。
【００５２】
本発明の携帯電話機用ベルト挿通型保持具は、折り畳み式携帯電話機の他にも二つに折り畳み可能な物品や吊るし掛け可能な物品、例えば小型コンピュータ、ＰＤＡ等の携帯情報端末機、ＣＤ、ＭＤ、メモリープレーヤー等の携帯音楽プレーヤー、さらには文具、工具、眼鏡、財布、小物入れ、タオル、小型鞄等も保持できるものとして応用展開が可能である。
【図面の簡単な説明】
【００５３】
【図１】第１の実施形態に係る携帯電話機用ベルト挿通型保持具の平面図。
【図２】第１の実施形態に係る携帯電話機用ベルト挿通型保持具の使用状態を示す説明図。
【図３】第１の実施形態に係る携帯電話機用ベルト挿通型保持具の使用状態を示す説明図。
【図４】第２の実施形態に係る携帯電話機用ベルト挿通型保持具の斜視図。
【図５】第３の実施形態に係る携帯電話機用ベルト挿通型保持具の斜視図。
【図６】第４の実施形態に係る携帯電話機用ベルト挿通型保持具の使用状態を示す説明図。
【符号の説明】
【００５４】
１０、２０、３０、４０  携帯電話機用ベルト挿通型保持具
１１、３１、４１  基板体
１２、３２、４２  ベルト挿通部
１３  舌状部
２１，３３  連結部
３４  スナップボタン
Ｂ１  ベルト
Ｋ  携帯電話機
Ｋ１  表示部筐体
Ｋ２  操作部筐体
Ｋ３  回動軸
【図１】
0005128906.tif 000002
【図２】
0005128906.tif 000003
【図３】
0005128906.tif 000004
【図４】
0005128906.tif 000005
【図５】
0005128906.tif 000006
【図６】
0005128906.tif 000007